(57)【特許請求の範囲】
【請求項１】
入力されたユーザの識別情報と、各ユーザの識別情報を含むユーザ情報とを比較することにより、前記入力されたユーザの識別情報に対応するユーザを認証する認証手段と、
前記認証されたユーザが画像形成装置から離れたことを検知する検知手段と、
前記検知手段が前記認証されたユーザが画像形成装置から離れたことを検知した場合に、前記認証されたユーザの認証状態を解除する解除手段と、
ユーザ毎に又はジョブ毎に、現在実行中のジョブを継続するか又は消去するかを設定する設定手段と、を備え、
前記認証されたユーザが画像形成装置から離れたことが検知された場合であって、前記設定手段の設定が前記現在実行中のジョブを継続する設定であるときに、前記現在実行中のジョブを継続処理する画像形成装置。
【請求項２】
前記検知手段によって、前記認証されたユーザが画像形成装置から離れたことが検知された場合であって、前記設定手段の設定が前記現在実行中のジョブを消去する設定であるときに、前記現在実行中のジョブを消去する請求項１に記載の画像形成装置。
【請求項３】
前記検知手段は、人感センサーにより前記認証されたユーザが前記画像形成装置から離れたことを検知する請求項１又は２に記載の画像形成装置。
【請求項４】
画像形成装置を、
入力されたユーザの識別情報と、各ユーザの識別情報を含むユーザ情報とを比較することにより、前記入力されたユーザの識別情報に対応するユーザを認証する認証手段、
前記認証されたユーザが前記画像形成装置から離れたことを検知する検知手段、
前記検知手段が前記認証されたユーザが前記画像形成装置から離れたことを検知した場合に、前記認証されたユーザの認証状態を解除する解除手段、及び
ユーザ毎に又はジョブ毎に、現在実行中のジョブを継続するか又は消去するかを設定する設定手段、として機能させ、
前記認証されたユーザが画像形成装置から離れたことが検知された場合であって、前記設定手段の設定が前記現在実行中のジョブを継続する設定であるときに、前記画像形成装置が前記現在実行中のジョブを継続処理するプログラム。
【発明の詳細な説明】
【技術分野】
【０００１】
本発明は、画像形成装置及びプログラムに関する。 
【背景技術】
【０００２】
従来より、暗証コード毎にユーザを管理する画像形成装置が知られている。例えば、暗証モードユーザが複写動作中又は中断中に、人感センサがユーザが装置から離れたことを検知したとき、暗証コード画面を表示手段に表示せず、設定モードが変化した場合や複写動作が再スタート要求があった場合に暗証コード画面を表示手段に表示する画像形成装置が知られている（例えば、特許文献１参照）。この画像形成装置では、人感センサがユーザが装置から離れたことを検知したときに、暗証コード画面が表示されないので、他のユーザによる複写動作が禁止される。
【先行技術文献】
【特許文献】
【０００３】
【特許文献１】特開平９−２９２８０２号公報
【発明の概要】
【発明が解決しようとする課題】
【０００４】
本発明の目的は、従来の画像形成装置よりも、稼働効率を向上させることが可能な画像形成装置及びプログラムを提供することにある。 
【課題を解決するための手段】
【０００５】
上記目的を達成するため、請求項１の画像形成装置は、入力されたユーザの識別情報と、各ユーザの識別情報を含むユーザ情報とを比較することにより、前記入力されたユーザの識別情報に対応するユーザを認証する認証手段と、前記認証されたユーザが画像形成装置から離れたことを検知する検知手段と、前記検知手段が前記認証されたユーザが画像形成装置から離れたことを検知した場合に、前記認証されたユーザの認証状態を解除する解除手段と、ユーザ毎に又はジョブ毎に、現在実行中のジョブを継続するか又は消去するかを設定する設定手段と、を備え、前記認証されたユーザが画像形成装置から離れたことが検知された場合であって、前記設定手段の設定が前記現在実行中のジョブを継続する設定であるときに、前記現在実行中のジョブを継続処理する。
【０００６】
請求項２の画像形成装置は、請求項１に記載の画像形成装置において、前記検知手段によって、前記認証されたユーザが画像形成装置から離れたことが検知された場合であって、前記設定手段の設定が前記現在実行中のジョブを消去する設定であるときに、前記現在実行中のジョブを消去する。
【０００７】
請求項３の画像形成装置は、請求項１又は２に記載の画像形成装置において、前記検知手段は、人感センサーにより前記認証されたユーザが前記画像形成装置から離れたことを検知する。
【００１２】
請求項４のプログラムは、画像形成装置を、入力されたユーザの識別情報と、各ユーザの識別情報を含むユーザ情報とを比較することにより、前記入力されたユーザの識別情報に対応するユーザを認証する認証手段、前記認証されたユーザが前記画像形成装置から離れたことを検知する検知手段、前記検知手段が前記認証されたユーザが前記画像形成装置から離れたことを検知した場合に、前記認証されたユーザの認証状態を解除する解除手段、及びユーザ毎に又はジョブ毎に、現在実行中のジョブを継続するか又は消去するかを設定する設定手段、として機能させ、前記認証されたユーザが画像形成装置から離れたことが検知された場合であって、前記設定手段の設定が前記現在実行中のジョブを継続する設定であるときに、前記画像形成装置が前記現在実行中のジョブを継続処理する。
【発明の効果】
【００１４】
請求項１の発明によれば、従来の画像形成装置よりも、稼働効率を向上させることができる。       
【００２１】
請求項４の発明によれば、従来の画像形成装置よりも、稼働効率を向上させることができる。
【図面の簡単な説明】
【００２３】
【図１】本実施の形態に係る画像形成装置１の構成図である。
【図２】制御部２７の概略構成図である。
【図３】ＨＤＤ１０５又はＮＶＲＡＭ１０４に保存される保存データの構造を示す図である。
【図４】人感センサ３６が認証ユーザを検知できない場合の現在実行中のジョブの処理方法を設定するための設定画面の一例を示す図である。
【図５】ＣＰＵ１０１が実行する処理を示すフローチャートである。
【図６】ＣＰＵ１０１が実行する処理の変形例を示すフローチャートである。
【図７】ＵＩ１２１の入力機能がロックされた場合のＵＩ１２１の表示画面の一例を示す図である。
【図８】（Ａ）及び（Ｂ）は、中断中のジョブの処理方法を設定するための設定画面の例を示す図である。
【図９】中断中のジョブ、未起動のジョブ及び設定情報が保存された場合に、ＣＰＵ１０１が実行する処理を示すフローチャートである。
【図１０】選択画面の一例を示す図である。
【発明を実施するための形態】
【００２４】
以下、図面を参照しながら本発明の実施の形態を説明する。       
【００２５】
図１は、本実施の形態に係る画像形成装置１の構成図である。       
【００２６】
画像形成装置１は、例えば、コピー機又は複合機である。画像形成装置１は、用紙Ｐが収容されるカセット１０と、カセット１０の上に設けられ、カセット１０から供給される用紙Ｐに画像形成を行う画像形成部２０と、画像形成部２０の上に設けられ、原稿Ｇを読み取る原稿読取部４０とを備えている。
【００２７】
カセット１０には、用紙Ｐを画像形成装置１内に設けられた搬送路２１に送り出す送り出しロール１１が設けられている。また、搬送路２１における送り出しロール１１よりも下流側には、用紙Ｐを一枚ずつ搬送する一対の搬送ロール１２が設けられている。なお、搬送路２１は、図１の下側を上流側、及び図１の上側を下流側として画像形成装置１内に設けられている。
【００２８】
画像形成部２０は、筐体２０Ａと、筐体２０Ａ内で搬送路２１と対向配置され、用紙Ｐ上にトナー画像（現像剤像）を形成する現像ユニット２２と、現像ユニット２２の感光体２３に静電潜像を形成する露光ユニット２４と、トナー画像を用紙Ｐ上に定着する定着ユニット２５と、現像ユニット２２に供給される黒色のトナーを収容したトナーカートリッジ２６と、画像形成装置１の各部の動作を制御する制御部２７と、画像形成装置１前の人の存在を検知する人感センサ３６を備えている。人感センサ３６は、例えば、人体から発生する赤外線を検知し、人が画像形成装置１へ接近したことを検出する。
【００２９】
搬送路２１の上流側には、用紙Ｐを一旦停止させるとともに、決められたタイミングで用紙Ｐを現像ユニット２２へ送り出す一対の位置合せロール２８が設けられている。また、搬送路２１の下流側には、トナー画像が定着された用紙Ｐを排出する一対の排出ロール２９が設けられている。トナー画像が定着された用紙Ｐは排出トレイ３７に排出される。排出トレイ３７には、トナー画像が定着された用紙Ｐの存在を検知する用紙検知センサ３５が設けられている。
【００３０】
また、搬送路２１を挟んで感光体２３の外周面と対向する位置には、トナーの極性（例えばマイナス）と逆極性の電圧が印加される転写ロール３０が設けられている。ここで、感光体２３の内側は接地されており、転写ロール３０にトナーの極性（例えばマイナス）と逆極性の電圧が印加されるので、感光体２３の外周面と転写ロール３０との間に電位差が生じる。この電位差（電界）によって、現像後の感光体２３の外周面に存在するトナー画像が用紙Ｐ上に転写される。
【００３１】
定着ユニット２５は、内部にヒータを備えた加熱ロール３１と、加熱ロール３１の外周面と対向配置され用紙Ｐを加熱ロール３１に向けて加圧する加圧ロール３２とを有している。そして、定着ユニット２５では、加熱ロール３１及び加圧ロール３２で用紙Ｐを挟むことで用紙Ｐを加熱及び加圧して、用紙Ｐ上にトナー画像を定着させる。
【００３２】
また、画像形成装置１は、用紙Ｐを手差しで供給するトレイ３３及び用紙Ｐを一枚ずつ搬送する一対の搬送ロール３４を備えている。       
【００３３】
原稿読取部４０は、原稿置台４１上に載せられた原稿Ｇを１枚ずつ自動で搬送する原稿搬送装置４２と、原稿搬送装置４２の下側に配置され１枚の原稿Ｇが載せられるプラテンガラス４３と、プラテンガラス４３の下側で移動可能に設けられ、プラテンガラス４３上の原稿Ｇを読み取る原稿読取装置４４とを備えている。
【００３４】
原稿搬送装置４２は、プラテンガラス４３上の原稿Ｇを押さえるカバー４８と、プラテンガラス４３上の原稿Ｇを検知する原稿検知センサ４９とを備えている。また、原稿搬送装置４２は、原稿Ｇを１枚ずつ送り出す送り出しロール４５と、一対の搬送ロール４６が複数配置された自動搬送路４７と、原稿置台４１上の原稿Ｇを検知する原稿検知センサ５０とを備えている。自動搬送路４７の一部は原稿Ｇがプラテンガラス４３上を通るように配置されている。また、原稿読取装置４４は、プラテンガラス４３の左端部の下側で静止した状態で原稿搬送装置４２によって搬送される原稿Ｇを読み取り、又は右方向に移動しながらプラテンガラス４３上の原稿Ｇを読み取る。
【００３５】
図２は、制御部２７の概略構成図である。       
【００３６】
制御部２７は、画像形成装置１の全体動作を制御するＣＰＵ（Central
Processing Unit）１０１と、画像形成装置１の動作を制御する制御プログラムを格納するＲＯＭ（Read Only Memory）１０２と、ワーキングスペースとして機能するＲＡＭ（Random
Access Memory）１０３と、各種の設定情報、保留中のジョブ、及び未起動のジョブを格納するＮＶＲＡＭ（Non-Volatile RAM）１０４と、画像データ、登録されたユーザに関する情報、各種の設定情報、中断中のジョブ及び未起動のジョブを保存するＨＤＤ（Hard
Disk Drive）１０５と、ジョブの処理開始時からの経過時間、後述するＵＩ１２１の入力機能がロックされてからの経過時間、並びに設定情報及び中断中のジョブ又は未起動のジョブを保存してからの経過時間を計測するタイマ１０６と、人感センサ３６やカードリーダ６０との信号の入出力を制御するＩＯ制御部１０７とを備えている。ＣＰＵ１０１は、認証手段、解除手段、処理手段、ロック手段、保存手段、解除手段及び通知手段として機能する。人感センサ３６及びＣＰＵ１０１は、検知手段として機能する。
【００３７】
また、制御部２７は、ユーザインターフェース（ＵＩ）１２１のパネル制御やキー制御を行うＵＩインターフェース（ＩＦ）１０８と、各種の外部装置やネットワークと接続するための通信インターフェース（ＩＦ）１０９と、各種のセンサと接続するためのデバイスインターフェース（ＩＦ）１１０とを備えている。ＣＰＵ１０１は、バス１１５を介してＲＯＭ１０２、ＲＡＭ１０３、ＮＶＲＡＭ１０４、ＨＤＤ１０５、タイマ１０６、ＩＯ制御部１０７、ＵＩ  ＩＦ１０８、通信ＩＦ１０９、及びデバイスＩＦ１１０に接続されている。
【００３８】
尚、タイマ１０６はソフトウエアのタイマとしてＣＰＵ１０１に組み込まれていてもよい。また、タイマ１０６は計測時間をＣＰＵ１０１に通知する。
【００３９】
ＵＩ１２１は、液晶画面で構成される表示部１２２と、スタートボタン、ストップボタン、テンキーなどで構成される操作部１２３とを備えている。尚、表示部１２２がタッチパネルで構成される場合、表示部１２２は操作部１２３を含む。つまり、表示部１２２は操作画面を表示しつつ、入力操作を受け付ける。ＵＩ１２１は設定手段及び表示手段として機能する。
【００４０】
通信ＩＦ１０９は、１０／１００ＢＡＳＥ−ＴのＬＡＮケーブル又は無線ＬＡＮの通信ユニットを接続可能なＬＡＮ端子１１１、各種の周辺機器とシリアルケーブルを介して接続可能なシリアル端子１１２、ＵＳＢ機器とＵＳＢケーブルを介して接続可能なＵＳＢ端子１１３、及びＦＡＸ通信又は電話を行うモデム部１１４を備えている。ＬＡＮ端子１１１及びモデム部１１４は通知手段として機能する。
【００４１】
ＩＯ制御部１０７は人感センサ３６及びカードリーダ６０に接続されている。デバイスＩＦ１１０は、原稿読取部４０、現像ユニット２２、露光ユニット２４、及び定着ユニット２５に接続されている。
【００４２】
ＣＰＵ１０１は、ＨＤＤ１０５に予め登録されているユーザ情報と、ＵＩ１２１で入力されたユーザＩＤ及びパスワードに基づいてユーザ認証を行う。例えば、ＨＤＤ１０５に予め登録されているユーザ情報は、ユーザＩＤ、パスワード及び属性情報である。ユーザＩＤ及びパスワードはユーザの識別情報として機能する。ユーザＩＤ及びパスワードはＵＩ１２１から入力してもよいが、例えば、カードリーダ６０がユーザＩＤ及びパスワードを含む認証用カード（例えばＩＤカード、又はＩＣカードなど）を読み取ることでユーザＩＤ及びパスワードを入力してもよい。また、ユーザ情報は、ＨＤＤ１０５に代えてＮＶＲＡＭ１０４に登録されてもよい。
【００４３】
図３は、ＨＤＤ１０５又はＮＶＲＡＭ１０４に保存される保存データの構造を示す図である。       
【００４４】
ＨＤＤ１０５又はＮＶＲＡＭ１０４に保存される保存データは、ユーザ情報、ジョブデータ及び設定情報などである。ジョブデータや設定情報は、ユーザの認証状態（ユーザ認証が成功している状態）を解除し、別のユーザの認証動作が行われる場合や、所定時間が経過し、自動的にユーザの認証状態が解除される場合などに、保存される。また、図３に示すように、ジョブデータ及び設定情報はユーザ情報に関連づけて保存されている。
【００４５】
ユーザ情報は、ユーザＩＤ、パスワード及び属性情報を含む。属性情報はユーザの氏名、ユーザの宛先としての電話番号・ＦＡＸ番号、及びユーザの宛先としての電子メールアドレスなどを含む。
【００４６】
設定情報は、ユーザがジョブの処理のために設定した情報であり、用紙サイズ設定、白黒・カラー設定、変倍設定、濃度設定などを含む。また、設定情報は、人感センサ３６が認証ユーザを検知できない場合の現在実行中のジョブの処理方法に関する設定を含み、例えば、現在実行中のジョブを継続するか、保存するか又はキャンセル（消去）するかを示す設定を含む。図４は、人感センサ３６が認証ユーザを検知できない場合の現在実行中のジョブの処理方法を設定するための設定画面の一例を示す。ここでは、ユーザ毎に又はジョブ毎に、現在実行中のジョブを継続するか、又はキャンセルするかが設定される。これにより、認証されたユーザが画像形成装置１から離れた場合であっても、ユーザの所望の処理方法に応じてジョブが処理される。
【００４７】
図５は、ＣＰＵ１０１が実行する処理を示すフローチャートである。       
【００４８】
ＣＰＵ１０１は、ＨＤＤ１０５に予め登録されているユーザ情報と、ＵＩ１２１又は認証用カードを使って入力されたユーザＩＤ及びパスワードに基づいてユーザ認証を行う（ステップＳ１）。
【００４９】
認証状態において、ＣＰＵ１０１は、人感センサ３６の検知信号に基づいて、画像形成装置１から認証ユーザが離れているか否かを判別する（ステップＳ２）。ステップＳ２でＮＯの場合は、当該判別を繰り返す。一方、ステップＳ２でＹＥＳの場合には、ＣＰＵ１０１は、現在実行中のジョブの処理方法に関する設定が、現在実行中のジョブを継続処理する設定であるか又はキャンセルする設定であるか否かを判別する（ステップＳ３）。
【００５０】
ステップＳ３で現在実行中のジョブの処理方法に関する設定が、現在実行中のジョブを継続処理する設定である場合には、ＣＰＵ１０１は、現在実行中のジョブを継続処理すると共にユーザの認証状態を解除する、即ちログオフする（ステップＳ４）。
【００５１】
一方、ステップＳ３で現在実行中のジョブの処理方法に関する設定が、現在実行中のジョブをキャンセルする設定である場合には、ＣＰＵ１０１は、現在実行中のジョブをキャンセルすると共にユーザの認証状態を解除する、即ちログオフする（ステップＳ５）。
【００５２】
図６は、ＣＰＵ１０１が実行する処理の変形例を示すフローチャートである。       
【００５３】
ＣＰＵ１０１は、ＨＤＤ１０５に予め登録されているユーザ情報と、ＵＩ１２１又は認証用カードを使って入力されたユーザＩＤ及びパスワードに基づいてユーザ認証を行う（ステップＳ１１）。
【００５４】
認証状態において、ＣＰＵ１０１は、人感センサ３６の検知信号に基づいて、画像形成装置１から認証ユーザが離れているか否かを判別する（ステップＳ１２）。ステップＳ１２でＮＯの場合は、当該判別を繰り返す。一方、ステップＳ１２でＹＥＳの場合には、ＣＰＵ１０１は、現在の認証状態を維持したまま、ユーザＩＤ及びパスワードの入力だけを受け付けるようにＵＩ１２１の操作部１２３の入力機能をロックし、ユーザＩＤ及びパスワードの入力を受け付ける認証画面及び入力機能がロック中である旨を表示する（ステップＳ１３）。このとき、ＣＰＵ１０１は、ジョブの処理のために設定した設定情報及び現在処理中のジョブ及び未起動のジョブをそのままの状態で保持する、即ち、現在処理中のジョブを中断する。図７に、ＵＩ１２１の入力機能がロックされた場合のＵＩ１２１の表示画面の一例を示す。
【００５５】
次に、ＣＰＵ１０１は、タイマ１０６にＵＩ１２１の入力機能のロック時からの経過時間を計測させる（ステップＳ１４）。ＣＰＵ１０１は、所定時間（例えば、５分）経過するまでにユーザＩＤ及びパスワードが認証画面で再入力されたか否かを判別する（ステップＳ１５）。
【００５６】
ステップＳ１５でユーザＩＤ及びパスワードが再入力された場合には（ＹＥＳ）、ＣＰＵ１０１は、ＵＩ１２１又は認証用カードで再入力されたユーザＩＤ及びパスワードがステップＳ１で入力されたユーザＩＤ及びパスワードと同一であるか否かを判別する（ステップＳ１６）。ここでは、ＣＰＵ１０１は、ユーザＩＤ及びパスワードを再入力したユーザがＵＩ１２１の入力機能のロック時のユーザと同一であるか否かを判別している。
【００５７】
再度ＵＩ１２１又は認証用カードで入力されたユーザＩＤ及びパスワードがステップＳ１で入力されたユーザＩＤ及びパスワードと同一である場合には（ステップＳ１６でＹＥＳ）、ＣＰＵ１０１は、現在中断中のジョブの処理方法に関する設定が、現在中断中のジョブを継続処理する設定であるか又はキャンセルする設定であるか否かを判別する（ステップＳ１７）。尚、現在中断中のジョブの処理方法に関する設定は、図８（Ａ）に示すような、ＵＩ１２１に表示される、中断中のジョブの処理方法を設定するための設定画面で予め設定されている。
【００５８】
ステップＳ１７で、現在中断中のジョブの処理方法に関する設定が、現在中断中のジョブを継続処理する設定である場合には、ＣＰＵ１０１は、ＵＩ１２１の入力機能のロックを解除し（ステップＳ１８）、中断中のジョブを再開する（ステップＳ１９）。このとき、未起動のジョブ及び設定情報は維持されている。
【００５９】
一方、ステップＳ１７で、現在中断中のジョブの処理方法に関する設定が、現在中断中のジョブをキャンセルする設定である場合には、ＣＰＵ１０１は、中断中のジョブ、未起動のジョブ及び設定情報をキャンセルし（ステップＳ２０）、ＵＩ１２１の入力機能のロックを解除する（ステップＳ２１）。さらに、ＣＰＵ１０１は、図３の保存データに基づいて、中断中のジョブを要求したユーザにジョブ及び設定情報の処理結果（ここではジョブ及び設定情報のキャンセル）を通知する（ステップＳ２２）。これにより、ユーザはジョブ及び設定情報の処理結果を確認する。尚、通知方法は、電話、ＦＡＸ又は電子メールのいずれでもよい。
【００６０】
再度ＵＩ１２１又は認証用カードで入力されたユーザＩＤ及びパスワードがステップＳ１で入力されたユーザＩＤ及びパスワードと同一でない場合には（ステップＳ１６でＮＯ）、ＣＰＵ１０１は、現在中断中のジョブの処理方法に関する設定が、現在中断中のジョブを保存する設定であるか又はキャンセルする設定であるか否かを判別する（ステップＳ２３）。尚、現在中断中のジョブの処理方法に関する設定は、図８（Ｂ）に示すような、ＵＩ１２１に表示される、中断中のジョブの処理方法を設定するための設定画面で予め設定されている。
【００６１】
現在中断中のジョブの処理方法に関する設定が、現在中断中のジョブを保存する設定である場合には（ステップＳ２３でＹＥＳ）、ＣＰＵ１０１は、中断中のジョブ、未起動のジョブ及び設定情報を当該ジョブを要求したユーザのユーザ情報と関連付けてＨＤＤ１０５に保存し（ステップＳ２４）、ＵＩ１２１の入力機能のロックを解除する（ステップＳ２５）。さらに、ＣＰＵ１０１は、図３の保存データに基づいて、中断中のジョブを要求したユーザにジョブ及び設定情報の処理結果（ここではジョブ及び設定情報の保存）を通知する（ステップＳ２６）。これにより、ユーザはジョブ及び設定情報の処理結果を確認する。
【００６２】
一方、現在中断中のジョブの処理方法に関する設定が、現在中断中のジョブをキャンセルする設定である場合には（ステップＳ２３でＮＯ）、手順はステップＳ２０に進む。ステップＳ１５でユーザＩＤ及びパスワードが再入力されていない場合には（ＮＯ）、手順はステップＳ２４に進む。このように、所定時間（例えば、５分）経過するまでにユーザＩＤ及びパスワードが認証画面で再入力され場合には（ステップＳ１５でＮＯ）、中断中のジョブ、未起動のジョブ及び設定情報が当該ジョブを要求したユーザのユーザ情報と関連付けて保存され、ＵＩ１２１の入力機能のロックが解除されるので（ステップＳ２４、Ｓ２５）、ユーザＩＤ及びパスワードを入力したユーザ以外の他のユーザが画像形成装置１を使用できる環境が自動的に整えられる。
【００６３】
ステップＳ２４で、中断中のジョブ、未起動のジョブ及び設定情報が保存された場合には、ＣＰＵ１０１は、中断中のジョブ、未起動のジョブ及び設定情報を保存した後、所定時間（例えば３日）が経過しているか否かを判別し、所定時間が経過している場合には、中断中のジョブ、未起動のジョブ及び設定情報をキャンセルしてもよい。これにより、利用される見込みのないジョブや設定情報による、ＨＤＤ１０５又はＮＶＲＡＭ１０４の使用容量が削減される。
【００６４】
尚、ステップＳ１８とステップＳ１９の処理の順番は、上記実施例に限定されない。つまり、ステップＳ１９の処理がステップＳ１８の処理より先に実行されてもよい。同様に、ステップＳ２０とステップＳ２１の処理の順番は、上記実施例に限定されない。ステップＳ２４とステップＳ２５の処理の順番は、上記実施例に限定されない。
【００６５】
図９は、中断中のジョブ、未起動のジョブ及び設定情報が保存された場合に、ＣＰＵ１０１が実行する処理を示すフローチャートである。       
【００６６】
ＣＰＵ１０１は、ユーザ認証時に、入力されたユーザＩＤ及びパスワードに対応する保存されたジョブがあるか否かを判別する（ステップＳ３１）。具体的には、ＣＰＵ１０１は、ユーザ認証時にＨＤＤ１０５又はＮＶＲＡＭ１０４内に認証ユーザに対応するジョブがあれば、既に保存されたジョブがあると判断する。
【００６７】
ユーザ認証時に、入力されたユーザＩＤ及びパスワードに対応する保存されたジョブがない場合には（ステップＳ３１でＮＯ）、本処理を終了する。ユーザ認証時に、入力されたユーザＩＤ及びパスワードに対応する保存されたジョブがある場合には（ステップＳ３１でＹＥＳ）、ＣＰＵ１０１は、ＵＩ１２１に、保存されたジョブがある旨の情報及び保存されたジョブの継続処理又はキャンセル処理を選択するための選択画面を表示する（ステップＳ３２）。例えば、選択画面の一例を図１０に示す。
【００６８】
その後、ＣＰＵ１０１は保存されたジョブの継続処理が選択されたか又はキャンセル処理が選択されたかを判別する（ステップＳ３３）。ステップＳ３３で保存されたジョブの継続処理が選択された場合には（ＹＥＳ）、ＣＰＵ１０１は中断中のジョブ、未起動のジョブ及び設定情報をＨＤＤ１０５又はＮＶＲＡＭ１０４から読み出し、中断中のジョブを再開する（ステップＳ３４）。ステップＳ３３で保存されたジョブのキャンセル処理が選択された場合には（ＮＯ）、ＣＰＵ１０１は、保存された中断中のジョブ、未起動のジョブ及び設定情報をキャンセルする（ステップＳ３５）。さらに、ＣＰＵ１０１は、図３の保存データに基づいて、認証ユーザにジョブ及び設定情報の処理結果（ここではジョブ及び設定情報のキャンセル）を通知する（ステップＳ３６）。これにより、ユーザはジョブ及び設定情報の処理結果を確認する。尚、通知方法は、電話、ＦＡＸ又は電子メールのいずれでもよい。図９の処理によれば、ユーザに選択された方法で保存されたジョブが処理される。
【００６９】
以上説明したように、本実施の形態によれば、ＣＰＵ１０１は、入力されたユーザのユーザＩＤ及びパスワードと、各ユーザのユーザＩＤ及びパスワードを含むユーザ情報とを比較することにより、入力されたユーザのユーザＩＤ及びパスワードに対応するユーザを認証し、人感センサ３６の検知信号に基づいて、認証されたユーザが画像形成装置１から離れたことを検知し、認証されたユーザが画像形成装置１から離れたことを検知した場合に、認証されたユーザの認証状態を解除する。よって、ＣＰＵ１０１は、認証されたユーザが画像形成装置１から離れたことを検知した場合には、認証されたユーザの認証状態を解除するので、他のユーザの画像形成装置１の使用機会が確保され、従来の画像形成装置よりも、稼働効率が向上する。
【００７０】
ＣＰＵ１０１は、入力されたユーザのユーザＩＤ及びパスワードと、各ユーザのユーザＩＤ及びパスワードを含むユーザ情報とを比較することにより、入力されたユーザのユーザＩＤ及びパスワードに対応するユーザを認証し、人感センサ３６の検知信号に基づいて、認証されたユーザが画像形成装置１から離れたことを検知し、認証されたユーザが画像形成装置１から離れたことを検知した場合に、現在のユーザの認証状態を維持したまま、ユーザＩＤ及びパスワードの入力だけを受け付けるようにＵＩ１２１の入力機能をロックする。そして、ＵＩ１２１はユーザＩＤ及びパスワードを受け付ける認証画面及びＵＩ１２１の入力機能がロック中である旨を表示する。さらに、ＣＰＵ１０１は、認証画面に再入力されたユーザＩＤ及びパスワードが、上記入力されたユーザＩＤ及びパスワードと異なる場合に、ジョブ及び当該ジョブの処理のために設定された設定情報を上記入力されたユーザＩＤ及びパスワードと関連づけてＨＤＤ１０５又はＮＶＲＡＭ１０４に保存し、ＵＩ１２１の入力機能のロックを解除する。よって、他のユーザの画像形成装置１の使用機会が確保され、従来の画像形成装置よりも、稼働効率が向上する。さらに、最初のユーザが要求したジョブを再開し易くなる。
【００７１】
画像形成装置１の機能を実現するためのソフトウェアのプログラムが記録されている記憶媒体を、画像形成装置１に供給し、ＣＰＵ１０１が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。また、ＣＰＵ１０１が、画像形成装置１の機能を実現するためのソフトウェアのプログラムを実行することによっても、上記実施の形態と同様の効果を奏する。
【００７２】
尚、本発明は、上述した実施の形態に限定されるものではなく、その要旨を逸脱しない範囲内で種々変形して実施することが可能である。 
【符号の説明】
【００７３】
１  画像形成装置   ２０  画像形成部   ２２  現像ユニット   ２３  感光体   ２４  露光ユニット   ２５  定着ユニット   ２７  制御部   ３５  用紙検知センサ
３６  人感センサ   ４９，５０  原稿検知センサ   １０１  ＣＰＵ   １２１  ユーザインターフェース（ＵＩ） 
【図１】
0005772391.tif 000002
【図２】
0005772391.tif 000003
【図３】
0005772391.tif 000004
【図４】
0005772391.tif 000005
【図５】
0005772391.tif 000006
【図６】
0005772391.tif 000007
【図７】
0005772391.tif 000008
【図８】
0005772391.tif 000009
【図９】
0005772391.tif 000010
【図１０】
0005772391.tif 000011